(57)【要約】【課題】ユーザの手間を軽減するとともに、装置の大型化を抑制することを可能とする携帯端末及び通信方法を提供する。【解決手段】携帯端末１０は、無線通信網１００と無線通信を行う無線通信部１１と、外部装置２０と人体を介して通信を行う人体通信部１３とを備える。人体通信部１３は、無線通信網１００から無線通信によってユーザ情報を着信した場合に、外部装置２０と人体を介して通信を行うことが可能な状態である通信可能状態に遷移する。【選択図】図２
2009200638.tif 000002
【特許請求の範囲】
【請求項１】
無線通信網と無線通信を行う無線通信部と、
外部装置と人体を介して通信を行う人体通信部とを備え、
前記人体通信部は、前記無線通信網から前記無線通信によってユーザ情報を着信した場合に、前記外部装置と前記人体を介して通信を行うことが可能な状態である通信可能状態に遷移することを特徴とする携帯端末。
【請求項２】
前記ユーザ情報の着信をバイブレーションによってユーザに通知するマナーモードと、前記ユーザ情報の着信を少なくとも着信音によってユーザに通知する通常モードとを有する着信通知部をさらに備え、
前記人体通信部は、前記マナーモードにおいて前記ユーザ情報を着信した場合に、前記通信可能状態に遷移することを特徴とする請求項１に記載の携帯端末。
【請求項３】
前記人体の一部が前記外部装置に接触又は近接している時間である接触時間を判定する判定部をさらに備え、
前記人体通信部は、前記接触時間が一定時間以上である場合に、前記通信可能状態に遷移することを特徴とする請求項１に記載の携帯端末。
【請求項４】
他ユーザの端末を識別する他ユーザ端末情報と前記他ユーザの名称である他ユーザ名称とを対応付けるアドレス情報を記憶する記憶部をさらに備え、
前記人体通信部は、前記ユーザ情報の発信元端末を識別する発信元端末情報が前記他ユーザ端末情報として前記アドレス情報に含まれる場合に、前記発信元端末情報に対応付けられた前記他ユーザ名称を前記外部装置に前記人体を介して送信し、
前記人体通信部は、前記発信元端末情報が前記他ユーザ端末情報として前記アドレス情報に含まれていない場合に、前記発信元端末情報を前記外部装置に前記人体を介して送信することを特徴とする請求項１に記載の携帯端末。
【請求項５】
前記ユーザ情報の着信をユーザに通知する通知動作を行う着信通知部をさらに備え、
前記人体通信部は、前記無線通信網から前記ユーザ情報を着信した場合に、前記通信可能状態に遷移した上で、前記ユーザ情報の着信を示す着信情報を前記外部装置に前記人体を介して送信し、
前記着信通知部は、前記着信情報に対する応答情報を前記外部装置から前記人体を介して受信した場合に、前記通知動作を停止することを特徴とする請求項１に記載の携帯端末。
【請求項６】
前記人体通信部は、前記無線通信網から前記ユーザ情報を着信した場合に、前記通信可能状態に遷移した上で、前記ユーザ情報の着信を示す着信情報を前記外部装置に前記人体を介して送信し、
前記人体通信部は、ユーザによって指定された時間である指定時間が経過した場合に、前記着信情報の送信を終了することを特徴とする請求項１に記載の携帯端末。
【請求項７】
前記人体通信部は、前記着信通知部が前記通知動作を行う時間である呼び出し時間が経過した場合に、前記着信情報の送信を終了することを特徴とする請求項５に記載の携帯端末。
【請求項８】
前記人体通信部は、前記無線通信網からメール情報を前記ユーザ情報として着信した場合に、前記通信可能状態に遷移した上で、前記メール情報の着信を示す着信情報を前記外部装置に前記人体を介して送信し、
前記人体通信部は、前記着信情報に対する応答情報として、前記メール情報の内容を要求する情報を前記外部装置から前記人体を介して受信した場合に、前記メール情報の内容を前記外部装置に前記人体を介して送信することを特徴とする請求項１に記載の携帯端末。
【請求項９】
前記人体通信部は、前記無線通信網から音声通話要求を前記ユーザ情報として着信した場合に、前記通信可能状態に遷移した上で、前記音声通話要求の着信を示す着信情報を前記外部装置に前記人体を介して送信し、
前記無線通信部は、前記着信情報に対する応答情報として、前記無線通信の切断を要求する情報を前記外部装置から前記人体を介して受信した場合に、前記無線通信を切断することを特徴とする請求項１に記載の携帯端末。
【請求項１０】
前記無線通信部は、前記無線通信網から音声通話要求を前記ユーザ情報として着信した場合に、ユーザに代わって前記音声通話要求に応答する代理応答機能を有しており、
前記人体通信部は、前記無線通信網から前記音声通話要求を着信した場合に、前記通信可能状態に遷移した上で、前記ユーザ情報の着信を示す着信情報を前記外部装置に前記人体を介して送信し、
前記無線通信部は、前記着信情報に対する応答情報として、前記代理応答機能の実行を要求する情報を前記外部装置から前記人体を介して受信した場合に、前記代理応答機能を実行することを特徴とする請求項１に記載の携帯端末。
【請求項１１】
携帯端末が、無線通信網と無線通信を行うステップと、
前記携帯端末が、外部装置と人体を介して通信を行うステップと、
前記携帯端末が、前記無線通信網から前記無線通信によってユーザ情報を着信した場合に、前記外部装置と前記人体を介して通信を行うことが可能な状態である通信可能状態に遷移するステップとを含むことを特徴とする通信方法。
【発明の詳細な説明】
【技術分野】
【０００１】
本発明は、外部装置と人体を介して通信を携帯端末及び通信方法に関する。
【背景技術】
【０００２】
一般的に、人体は、数ｋＨｚ〜数１０ｋＨｚの周波数帯について良好な導電性を有する。従って、通信に用いる周波数帯（搬送周波数帯）によって、人体を伝送媒体として用いることができる。これに伴って、人体を伝達媒体として用いる通信システムが提案されている（例えば、特許文献１及び非特許文献１）。
【０００３】
具体的には、送信装置は、人体を伝達しやすい周波数帯を有する搬送波に信号を変調し、変調された信号を人体に出力する。変調された信号によって人体に電界が生じる。一方で、受信装置は、人体に生じた電界を検出し、検出された電界によって、変調された信号を取得する。続いて、受信装置は、変調された信号を復調する。
【０００４】
また、人体を伝達媒体として用いる通信システムとして、人体に装着された携帯端末を用いる技術が提案されている（例えば、特許文献２）。具体的には、携帯端末は、指紋を読み取る指紋読み取り部と、照合に用いる指紋を記憶する記憶部を有する。携帯端末は、指紋読み取り部によって読み取られた指紋と記憶部に記憶された指紋とが一致した場合に、人体を介して通信を行うことが可能な状態（以下、通信可能状態）に遷移する。
【非特許文献１】Ｔ．Ｇ．Ｚｉｍｍｅｒｍａｎ、「Ｐｅｒｓｏｎａｌ  Ａｒｅａ  Ｎｅｔｗｏｒｋｓ：Ｎｅａｒ−Ｆｉｅｌｄ  Ｉｎｔｒａｂｏｄｙ  Ｃｏｍｍｕｎｉｃａｔｉｏｎ」、ＩＢＭ  Ｓｙｓｔｅｍ  Ｊｏｕｒｎａｌ  Ｖｏｌ．３５、Ｎｏ３＆４、１９９６−ＭＩＴ  Ｍｅｄｉａ  Ｌａｂｏｒａｔｏｒｙ
【特許文献１】特開２００１−２９８４２５
【特許文献２】特開２００３−１３２０３１
【発明の開示】
【発明が解決しようとする課題】
【０００５】
上述した技術では、人体を介して通信を開始するトリガーとして指紋の照合が行われるため、指紋読み取り部が設けられている必要である。従って、指紋読み取り部によって指紋を読み取る手間が生じ、携帯端末のサイズが大きくなる。
【０００６】
そこで、本発明は、上述した課題を解決するためになされたものであり、ユーザの手間を軽減するとともに、装置の大型化を抑制することを可能とする携帯端末及び通信方法を提供することを目的とする。
【課題を解決するための手段】
【０００７】
第１の特徴に係る携帯端末は、無線通信網と無線通信を行う無線通信部（無線通信部１１）と、外部装置と人体を介して通信を行う人体通信部（人体通信部１３）とを備える。前記人体通信部は、前記無線通信網から前記無線通信によってユーザ情報を着信した場合に、前記外部装置と前記人体を介して通信を行うことが可能な状態である通信可能状態に遷移する。
【０００８】
かかる特徴によれば、人体通信部は、無線通信網からユーザ情報を着信した場合に、通信可能状態に遷移する。従って、指紋照合などの手間を必要とせずに、携帯端末と外部装置との間で通信が必要とされるタイミングで、人体通信部を通信可能状態に遷移させることができる。
【０００９】
第１の特徴において、携帯端末は、前記ユーザ情報の着信をバイブレーションによってユーザに通知するマナーモードと、前記ユーザ情報の着信を少なくとも着信音によってユーザに通知する通常モードとを有する着信通知部（着信通知部１４）をさらに備える。前記人体通信部は、前記マナーモードにおいて前記ユーザ情報を着信した場合に、前記通信可能状態に遷移する。
【００１０】
第１の特徴において、携帯端末は、前記人体の一部が前記外部装置に接触又は近接している時間である接触時間を判定する判定部（判定部１６）をさらに備える。前記人体通信部は、前記接触時間が一定時間以上である場合に、前記通信可能状態に遷移する。
【００１１】
第１の特徴において、携帯端末は、他ユーザの端末を識別する他ユーザ端末情報と前記他ユーザの名称である他ユーザ名称とを対応付けるアドレス情報を記憶する記憶部（記憶部１５）をさらに備える。前記人体通信部は、前記ユーザ情報の発信元端末を識別する発信元端末情報が前記他ユーザ端末情報として前記アドレス情報に含まれる場合に、前記発信元端末情報に対応付けられた前記他ユーザ名称を前記外部装置に前記人体を介して送信する。前記人体通信部は、前記発信元端末情報が前記他ユーザ端末情報として前記アドレス情報に含まれていない場合に、前記発信元端末情報を前記外部装置に前記人体を介して送信する。
【００１２】
第１の特徴において、携帯端末は、前記ユーザ情報の着信をユーザに通知する通知動作を行う着信通知部（着信通知部１４）をさらに備える。前記人体通信部は、前記無線通信網から前記ユーザ情報を着信した場合に、前記通信可能状態に遷移した上で、前記ユーザ情報の着信を示す着信情報を前記外部装置に前記人体を介して送信する。前記着信通知部は、前記着信情報に対する応答情報を前記外部装置から前記人体を介して受信した場合に、前記通知動作を停止する。
【００１３】
第１の特徴において、前記人体通信部は、前記無線通信網から前記ユーザ情報を着信した場合に、前記通信可能状態に遷移した上で、前記ユーザ情報の着信を示す着信情報を前記外部装置に前記人体を介して送信する。前記人体通信部は、ユーザによって指定された時間である指定時間が経過した場合に、前記着信情報の送信を終了する。
【００１４】
第１の特徴において、前記人体通信部は、前記着信通知部が前記通知動作を行う時間である呼び出し時間が経過した場合に、前記着信情報の送信を終了する。
【００１５】
第１の特徴において、前記人体通信部は、前記無線通信網からメール情報を前記ユーザ情報として着信した場合に、前記通信可能状態に遷移した上で、前記メール情報の着信を示す着信情報を前記外部装置に前記人体を介して送信する。前記人体通信部は、前記着信情報に対する応答情報として、前記メール情報の内容を要求する情報を前記外部装置から前記人体を介して受信した場合に、前記メール情報の内容を前記外部装置に前記人体を介して送信する。
【００１６】
第１の特徴において、前記人体通信部は、前記無線通信網から音声通話要求を前記ユーザ情報として着信した場合に、前記通信可能状態に遷移した上で、前記音声通話要求の着信を示す着信情報を前記外部装置に前記人体を介して送信する。前記無線通信部は、前記着信情報に対する応答情報として、前記無線通信の切断を要求する情報を前記外部装置から前記人体を介して受信した場合に、前記無線通信を切断する。
【００１７】
第１の特徴において、前記無線通信部は、前記無線通信網から音声通話要求を前記ユーザ情報として着信した場合に、ユーザに代わって前記音声通話要求に応答する代理応答機能を有する。前記人体通信部は、前記無線通信網から前記音声通話要求を着信した場合に、前記通信可能状態に遷移した上で、前記ユーザ情報の着信を示す着信情報を前記外部装置に前記人体を介して送信する。前記無線通信部は、前記着信情報に対する応答情報として、前記代理応答機能の実行を要求する情報を前記外部装置から前記人体を介して受信した場合に、前記代理応答機能を実行する。
【００１８】
第２の特徴に係る通信方法は、携帯端末が、無線通信網と無線通信を行うステップと、前記携帯端末が、外部装置と人体を介して通信を行うステップと、前記携帯端末が、前記無線通信網から前記無線通信によってユーザ情報を着信した場合に、前記外部装置と前記人体を介して通信を行うことが可能な状態である通信可能状態に遷移するステップとを含む。
【発明の効果】
【００１９】
本発明によれば、ユーザの手間を軽減するとともに、装置の大型化を抑制することを可能とする携帯端末及び通信方法を提供することができる。
【発明を実施するための最良の形態】
【００２０】
以下において、本発明の実施形態に係る通信システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［第１実施形態］
（通信システムの構成）
以下において、第１実施形態に係る通信システムの構成について、図面を参照しながら説明する。図１は、第１実施形態に係る通信システムを示す図である。図１に示すように、通信システムは、携帯端末１０と、外部装置２０とを有する。
【００２３】
携帯端末１０は、人体（ここでは、ユーザＡ）を介して外部装置２０と通信を行う端末（携帯電話やＰＤＡなど）である。携帯端末１０は、小型であることが好ましく、バッテリから供給される電力によって駆動されることが好ましい。携帯端末１０は、ユーザＡに装着可能に構成されていることが好ましい。
【００２４】
また、携帯端末１０は、無線通信網１００を介して無線通信を行う。ここで、無線通信は、パケット交換網を用いたパケット通信（例えば、メール情報の送受信）、回線交換網を用いた回線通信（例えば、音声通話）である。携帯端末１０は、無線通信網１００を介して、ユーザ情報を着信する。ユーザ情報は、例えば、音声通話の開始を要求する音声通話要求（呼び出しメッセージ）、メール情報などである。
【００２５】
外部装置２０は、人体（ここでは、ユーザＡ）を介して携帯端末１０と通信を行う装置（例えば、パーソナルコンピュータ）である。外部装置２０は、特に小型である必要はなく、ＡＣ電源から供給される電力によって駆動されることが好ましい。
【００２６】
外部装置２０は、人体の一部（手など）が外部装置２０に接触又は近接した場合に、人体の一部が外部装置２０に接触又は近接したことを示す接触判定用信号を、人体を介して携帯端末１０に送信する。ここで、外部装置２０は、人体の一部が外部装置２０に接触又は近接している間において、接触判定用信号を定常的又は定期的に携帯端末１０に送信する。
【００２７】
無線通信網１００は、パケット交換網や回線交換網である。無線通信網１００は、基地局、パケット交換局、回線交換局などが設けられた移動体通信網であってもよい。無線通信網１００は、アクセスポイントなどが設けられた無線ＬＡＮであってもよい。
【００２８】
（携帯端末の構成）
以下において、第１実施形態に係る携帯端末の構成について、図面を参照しながら説明する。図２は、第１実施形態に係る携帯端末１０を示すブロック図である。
【００２９】
図２に示すように、携帯端末１０は、無線通信部１１と、接触部１２と、人体通信部１３と、着信通知部１４と、記憶部１５と、判定部１６と、制御部１７とを有する。
【００３０】
無線通信部１１は、無線通信網１００と通信を行う。例えば、無線通信部１１は、無線通信網１００に対応する変調、復調、符号化、復号化などの処理を行う。無線通信部１１は、音声通話要求（呼び出しメッセージ）やメール情報などを着信する。
【００３１】
無線通信部１１は、音声通話要求を着信した場合には、ユーザＡに代わって音声通話要求に対応する代理応答機能（以下、留守番電話機能）を有する。留守番電話機能では、相手方のメッセージを自端末に記憶することが可能である。また、留守番電話機能では、相手方のメッセージを無線通信網１００上に設けられたサーバなどに記憶することが可能である。
【００３２】
無線通信部１１は、音声通話要求を着信した場合には、音声通話要求を受け付けた上で、音声通話要求を保留する機能（以下、保留機能）を有する。なお、保留機能では、音声通話に用いる回線が保留され、保留音や保留メッセージなどが相手方に通知される。
【００３３】
接触部１２は、人体（ここでは、ユーザＡ）に接触又は近接する。接触部１２は、人体通信部１３からの送信信号に応じて人体に電界を生じさせる。また、接触部１２は、人体に生じた電界を検出する。
【００３４】
人体通信部１３は、人体（ここでは、ユーザＡ）を介して外部装置２０と通信を行う。人体通信部１３は、人体を伝達しやすい周波数帯（数ｋＨｚ〜数１０ｋＨｚ）に変調された各種信号（各種情報）を復調する。人体通信部１３は、人体を伝達しやすい周波数帯（数ｋＨｚ〜数１０ｋＨｚ）に各種信号（各種情報）を変調する。
【００３５】
例えば、人体通信部１３は、ユーザ情報の着信を示す着信情報を送信する。着信情報は、メール情報の着信を示す情報、音声通話要求の着信を示す情報などである。人体通信部１３は、メール情報の内容を送信する。さらに、人体通信部１３は、音声通話における音声情報を送信してもよい。
【００３６】
人体通信部１３は、接触部１２によって検出された電界によって、外部装置２０から接触判定用信号を受信する。また、人体通信部１３は、着信情報に対する応答情報を受信する。
【００３７】
ここで、着信情報に対する応答情報としては、以下に示す情報が考えられる。着信情報がメール情報の着信を示す情報である場合には、応答情報は、（１）単に、着信情報を受信した旨を示す情報（ＡＣＫ）、（２）メール情報の内容を要求する情報（以下、メール情報内容要求）などである。着信情報が音声通話要求の着信を示す情報である場合には、応答情報は、（１）単に、着信情報を受信した旨を示す情報（ＡＣＫ）、（２）無線通信の切断を要求する情報（以下、切断要求）、（３）留守番電話機能の実行を要求する情報（留守電切替要求）、（４）保留機能の実行を要求する情報（保留切替要求）などである。
【００３８】
着信通知部１４は、ユーザ情報の着信をユーザに通知する通知動作を行う。具体的には、着信通知部１４は、ユーザ情報の着信をバイブレーションによってユーザに通知するマナーモードと、ユーザ情報の着信を着信音によってユーザに通知する通常モードとを有する。なお、通常モードでは、着信音に加えて、バイブレーションによってユーザ情報の着信を通知してもよい。
【００３９】
以下においては、通常モードにおける通知動作を通知動作（１）と称し、マナーモードにおける通知動作を通知動作（２）と称する。
【００４０】
ここで、着信通知部１４が通知動作を行う時間（以下、呼び出し時間）は、ユーザによって指定されることが好ましい。呼び出し時間は、ユーザ情報の種別（メール情報又は音声通話要求）に応じて異なっていてもよい。
【００４１】
記憶部１５は、他ユーザ識別情報と他ユーザ名称とを対応付けるアドレス情報を記憶する。他ユーザ識別情報は、他ユーザの端末を識別する情報である。例えば、他ユーザ識別情報は、他ユーザの端末に割り当てられた電話番号やメールアドレスである。他ユーザ名称は、他ユーザの名称である。例えば、アドレス情報は、携帯端末１０を所持するユーザＡによって登録される。
【００４２】
判定部１６は、接触判定用信号に基づいて、人体（ここでは、ユーザＡ）の一部が外部装置２０に接触又は近接しているか否かを判定する。具体的には、判定部１６は、人体の一部が外部装置２０に接触又は近接している時間である接触時間を判定する。判定部１６は、接触時間が一定時間以上であるか否かを判定する。
【００４３】
制御部１７は、携帯端末１０の各構成を制御する。例えば、制御部１７は、無線通信網１００から無線通信によってユーザ情報を着信した場合に、通信可能状態への遷移を人体通信部１３に指示する。通信可能状態は、外部装置２０と人体を介して通信を行うことが可能な状態である。
【００４４】
制御部１７は、無線通信によってユーザ情報を着信したケースにおいて、接触時間が一定時間以上であると判定された場合に、通信可能状態への遷移を人体通信部１３に指示してもよい。
【００４５】
制御部１７は、無線通信によってユーザ情報を着信したケースにおいて、着信通知部１４がマナーモードである場合に、通信可能状態への遷移を人体通信部１３に指示してもよい。すなわち、制御部１７は、着信通知部１４が通常モードである場合に、通信可能状態への遷移を人体通信部１３に指示しなくてもよい。
【００４６】
制御部１７は、無線通信によってユーザ情報を着信したケースにおいて、ユーザ情報の発信元端末を識別する発信元端末情報がアドレス情報に含まれているか否かを判定する。発信元端末情報は、他ユーザ端末情報と同様に、発信元端末に割り当てられた電話番号やメールアドレスである。
【００４７】
制御部１７は、発信元端末情報が他ユーザ端末情報としてアドレス情報に含まれている場合には、発信元端末情報（すなわち、他ユーザ端末情報）に対応する他ユーザ名称を特定する。制御部１７は、通信可能状態への遷移及びユーザ名称の送信を人体通信部１３に指示する。なお、人体通信部１３は、制御部１７からの指示に応じて、ユーザ名称を含む着信情報を外部装置２０に人体を介して送信することが好ましい。
【００４８】
一方で、制御部１７は、発信元端末情報が他ユーザ端末情報としてアドレス情報に含まれていない場合には、通信可能状態への遷移及び発信元端末情報の送信を人体通信部１３に指示する。なお、人体通信部１３は、制御部１７からの指示に応じて、発信元端末情報を含む着信情報を外部装置２０に人体を介して送信することが好ましい。
【００４９】
制御部１７は、着信情報に対する応答情報を外部装置２０から人体を介して受信した場合に、通知動作の停止を着信通知部１４に指示する。制御部１７は、通知動作の停止を着信通知部１４に指示するとともに、着信情報の送信終了を人体通信部１３に指示してもよい。
【００５０】
制御部１７は、ユーザ情報を着信してから指定時間が経過した場合に、着信情報の送信終了を人体通信部１３に指示する。指定時間は、ユーザによって任意に指定される時間である。制御部１７は、呼び出し時間が経過した場合に、着信情報の送信終了を人体通信部１３に指示する。すなわち、制御部１７は、指定時間が呼び出し時間よりも長い場合には、指定時間が経過していなくても、通知動作の終了ととともに、着信情報の送信終了を人体通信部１３に指示することが好ましい。
【００５１】
制御部１７は、着信情報に対する応答情報としてメール情報内容要求を受信した場合に、メール情報の内容の送信を人体通信部１３に指示する。制御部１７は、着信情報に対する応答情報として切断要求を受信した場合に、無線通信の切断を無線通信部１１に指示する。制御部１７は、着信情報に対する応答情報として留守電切替要求を受信した場合に、留守電機能の実行を無線通信部１１に指示する。制御部１７は、着信情報に対する応答情報として保留切替要求を受信した場合に、保留機能の実行を無線通信部１１に指示する。
【００５２】
（外部装置の構成）
以下において、第１実施形態に係る外部装置の構成について、図面を参照しながら説明する。図３は、第１実施形態に係る外部装置２０を示すブロック図である。
【００５３】
図３に示すように、外部装置２０は、接触部２１と、人体通信部２２と、制御部２３と、表示部２４とを有する。
【００５４】
接触部２１は、人体（ここでは、ユーザＡ）の一部に接触又は近接する。接触部２１は、人体通信部１３からの送信信号に応じて人体に電界を生じさせる。また、接触部２１は、人体に生じた電界を検出する。
【００５５】
人体通信部２２は、人体（ここでは、ユーザＡ）を介して携帯端末１０と通信を行う。人体通信部２２は、人体を伝達しやすい周波数帯（数ｋＨｚ〜数１０ｋＨｚ）に変調された各種信号（各種情報）を復調する。人体通信部２２は、人体を伝達しやすい周波数帯（数ｋＨｚ〜数１０ｋＨｚ）に各種信号（各種情報）を変調する。
【００５６】
例えば、人体通信部２２は、接触部２１によって検出された電界によって、携帯端末１０から着信情報を受信する。着信情報は、上述したように、メール情報の着信を示す情報、音声通話要求の着信を示す情報などである。着信情報は、発信元端末情報、又は、発信元端末情報に対応する他ユーザ名称などを含む。また、人体通信部２２は、接触部２１によって検出された電界によって、携帯端末１０からメール情報の内容を受信する。
【００５７】
人体通信部２２は、人体の一部が接触部２１に接触又は近接している間において、接触判定用信号を定常的又は定期的に携帯端末１０に送信する。人体通信部２２は、着信情報に対する応答情報を携帯端末１０に送信する。応答情報は、上述したように、メール情報内容要求、切断要求、留守電切替要求、保留切替要求などである。
【００５８】
制御部２３は、外部装置２０の各構成を制御する。例えば、制御部２３は、着信情報を受信した場合に、着信情報の表示を表示部２４に指示する。制御部２３は、メール情報の内容を受信した場合に、メール情報の内容の表示を表示部２４に指示する。
【００５９】
表示部２４は、制御部２３からの指示に応じて、各種情報を表示する。具体的には、表示部２４は、制御部２３からの指示に応じて、着信情報やメール情報の内容を表示する。
【００６０】
例えば、着信情報がメール情報の着信を示す情報である場合には、表示部２４は、図４に示す情報を表示する。図４に示すように、表示部２４は、発信元端末情報に対応する他ユーザ名称（ここでは、ユーザＢ）を表示するとともに、メール情報の内容を確認する否かを問い合せる情報を表示する。なお、携帯端末１０に記憶されたアドレス情報に発信元端末情報が含まれていない場合には、表示部２４は、他ユーザ名称ではなくて、発信元端末情報を表示する。
【００６１】
メール情報の内容を受信した場合には、表示部２４は、図５に示す情報を表示する。図５に示すように、表示部２４は、メール情報に内容を表示するとともに、メール情報に返信するか否かを問い合せる情報を表示する。
【００６２】
着信情報が音声通話要求の着信を示す情報である場合には、表示部２４は、図６に示す情報を表示する。図６に示すように、表示部２４は、音声通話要求に対する応答方法の選択肢を表示する。応答方法の選択肢は、（１）無線通信の切断、（２）保留機能の実行、（３）留守番電話機能の実行などである。留守番電話機能の実行では、留守番メッセージの種類を選択することが可能である。留守番メッセージの種類は、（１）デフォルトで設定されたメッセージ（デフォルトメッセージ）、（２）ユーザによって指定可能なメッセージ（指定メッセージ）、（３）ユーザが新たに作成するメッセージ（新規メッセージ）などである。
【００６３】
（携帯端末の動作）
以下において、第１実施形態に係る携帯端末の動作について、図面を参照しながら説明する。図７〜図９は、第１実施形態に係る携帯端末１０の動作を示すフロー図である。
【００６４】
最初に、ユーザ情報を着信してから着信情報を外部装置２０に送信するまでの処理について、図７を参照しながら説明する。
【００６５】
図７に示すように、ステップ１０において、携帯端末１０は、無線通信網１００を介して無線通信によってユーザ情報を着信する。
【００６６】
ステップ１１において、携帯端末１０は、マナーモードが設定されているか否かを判定する。携帯端末１０は、マナーモードが設定されている場合には、ステップ１３の処理に移る。一方で、携帯端末１０は、通常モードが設定されている場合には、ステップ１２の処理に移る。
【００６７】
ステップ１２において、携帯端末１０は、ユーザ情報の着信を着信音によってユーザに通知する（通知動作（１））。通知動作（１）は、呼び出し時間に亘って継続する。
【００６８】
ステップ１３において、携帯端末１０は、ユーザ情報の着信をバイブレーションによってユーザに通知する（通知動作（２））。通知動作（２）は、基本的に、呼び出し時間に亘って継続する。但し、携帯端末１０は、着信情報に対する応答情報を受信した場合には、通知動作を停止する（後述するステップ２０）。
【００６９】
ステップ１４において、携帯端末１０は、人体通信部１３を通信可能状態に遷移させる。通信可能状態は、上述したように、外部装置２０と人体を介して通信を行うことが可能な状態である。
【００７０】
ステップ１５において、携帯端末１０は、人体の一部が外部装置２０に接触又は近接しているか否かを判定する。携帯端末１０は、人体の一部が外部装置２０に接触又は近接している場合には、ステップ１６の処理に移る。一方で、携帯端末１０は、人体の一部が外部装置２０に接触及び近接していない場合には、一連の処理を終了する。
【００７１】
ステップ１６において、携帯端末１０は、接触時間が一定時間以上であるか否かを判定する。接触時間は、上述したように、人体の一部が外部装置２０に接触又は近接している時間である。携帯端末１０は、接触時間が一定時間以上である場合には、ステップ１７の処理に移る。携帯端末１０は、接触時間が一定時間以上でない場合には、ステップ１５の処理に戻る。
【００７２】
ステップ１７において、携帯端末１０は、記憶部１５に記憶されたアドレス情報を参照する。続いて、携帯端末１０は、発信元端末情報がアドレス情報に含まれるか否かを判定する。
【００７３】
ステップ１８において、携帯端末１０は、ユーザ情報の着信を示す着信情報を外部装置２０に人体を介して送信する。ここで、携帯端末１０は、発信元端末情報がアドレス情報に含まれる場合には、発信元端末情報に対応する他ユーザ名称を着信情報に含める。一方で、携帯端末１０は、発信元端末情報がアドレス情報に含まれない場合には、発信元端末情報を着信情報に含める。
【００７４】
ステップ１９において、携帯端末１０は、着信情報に対する応答情報を受信する。
【００７５】
ステップ２０において、携帯端末１０は、ユーザ情報の着信をバイブレーションによってユーザに通知する動作（通知動作（２））を停止する。
【００７６】
次に、ユーザ情報がメール情報であるケースを例に挙げて、ステップ２０に続く処理について、図８を参照しながら説明する。
【００７７】
図８に示すように、ステップ３０において、携帯端末１０は、応答情報がメール情報内容要求であるか否かを判定する。携帯端末１０は、応答情報がメール情報内容要求である場合には、ステップ３１の処理に移る。一方で、携帯端末１０は、応答情報がメール情報内容要求でない場合には、一連の処理を終了する。
【００７８】
ステップ３１において、携帯端末１０は、メール情報の内容を外部装置２０に人体を介して送信する。
【００７９】
ステップ３２において、携帯端末１０は、メール情報の内容を送信してから一定期間内において、返信メール情報を受信したか否かを判定する。携帯端末１０は、返信メール情報を受信した場合には、ステップ３３の処理に移る。一方で、携帯端末１０は、返信メール情報を受信しなかった場合には、一連の処理を終了する。
【００８０】
ステップ３３において、携帯端末１０は、無線通信網１００を介して無線通信によって返信メール情報を送信する。
【００８１】
最後に、ユーザ情報が音声通話要求であるケースを例に挙げて、ステップ２０に続く処理について、図９を参照しながら説明する。
【００８２】
図９に示すように、ステップ４０において、携帯端末１０は、応答情報が切断要求であるか否かを判定する。携帯端末１０は、応答情報が切断要求である場合には、ステップ４１の処理に移る。一方で、携帯端末１０は、応答情報が切断要求でない場合には、ステップ４２の処理に移る。
【００８３】
ステップ４１において、携帯端末１０は、無線通信を切断する。
【００８４】
ステップ４２において、携帯端末１０は、応答情報が保留切替要求であるか否かを判定する。携帯端末１０は、応答情報が保留切替要求である場合には、ステップ４３の処理に移る。一方で、携帯端末１０は、応答情報が保留切替要求でない場合には、ステップ４４の処理に移る。
【００８５】
ステップ４３において、携帯端末１０は、保留機能を実行する。
【００８６】
ステップ４４において、携帯端末１０は、応答情報が留守電切替要求であるか否かを判定する。携帯端末１０は、応答情報が留守電切替要求である場合には、ステップ４５の処理に移る。一方で、携帯端末１０は、応答情報が留守電切替要求でない場合には、一連の処理を終了する。
【００８７】
ステップ４５において、携帯端末１０は、留守電メッセージがユーザによって指定されたか否かを判定する。携帯端末１０は、留守電メッセージが指定されている場合には、ステップ４６の処理に移る。携帯端末１０は、留守電メッセージが指定されていない場合には、ステップ４７の処理に移る。
【００８８】
ステップ４６において、携帯端末１０は、ユーザによって指定された留守電メッセージ（指定メッセージ）によって、音声通話要求に対して応答する。
【００８９】
ステップ４７において、携帯端末１０は、予め設定された留守電メッセージ（デフォルトメッセージ）によって、音声通話要求に対して応答する。
【００９０】
なお、図９では特に触れていないが、ユーザが新たに作成した新規メッセージを留守電応答メッセージとして用いてもよい。
【００９１】
（作用及び効果）
第１実施形態によれば、人体通信部１３は、無線通信網１００からユーザ情報を着信した場合に、通信可能状態に遷移する。従って、指紋照合などの手間を必要とせずに、携帯端末１０と外部装置２０との間で通信が必要とされるタイミングで、人体通信部１３を通信可能状態に遷移させることができる。
【００９２】
人体通信部１３は、接触時間が一定時間以上であると判定された場合に、通信可能状態に遷移する。すなわち、ユーザが意図していないようなケースにおいて、人体通信部１３が通信可能状態に遷移することを抑制することができる。
【００９３】
人体通信部１３は、マナーモードにおいてユーザ情報を着信した場合に、通信可能状態に遷移する。すなわち、通常モードなどのように、ユーザ情報を携帯端末１０によって処理することが好ましいようなケースにおいて、人体通信部１３が通信可能状態に遷移することを抑制することができる。
【００９４】
携帯端末１０は、無線通信網１００からユーザ情報を着信した場合に、通信可能状態に遷移した上で、人体を介して外部装置２０に着信情報を送信する。従って、ユーザ情報の処理を外部装置２０で行うことが可能であり、ユーザの利便性が向上する。
【００９５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９６】
上述した実施形態では、ユーザ情報として、メール情報及び音声通話要求を例に挙げたが、ユーザ情報はこれに限定されるものではない。具体的には、ユーザ情報は、パケット交換網から受信するダウンロード情報であってもよい。また、回線交換網から受信するショートメッセージであってもよい。
【００９７】
携帯端末１０は、留守番メッセージによって音声通話要求に応答する際に、外部装置２０から受信したメッセージを音声に変換する機能を有していてもよい。
【００９８】
上述した実施形態では、外部装置２０は、接触判定用信号を定常的又は定期的に携帯端末１０に送信するが、これに限定されるものではない。このようなケースでは、携帯端末１０は、無線通信網１００を介して無線通信によってユーザ情報を着信した場合に、人体の一部が外部装置２０に接触又は近接しているか否かを問い合せる問い合せ信号を、人体を介して外部装置２０に送信する。外部装置２０は、問い合せ信号を受信した場合には、接触判定用信号を携帯端末１０に送信する。なお、外部装置２０が問い合せ信号を受信できるケースでは、人体の一部が外部装置２０に接触又は近接していることに留意すべきである。従って、接触判定用信号は、問い合せ信号に対するＡＣＫである。なお、外部装置２０は、接触判定用信号（ＡＣＫ）の送信後、単に、携帯端末１０からの信号（情報）を待ち受ける状態に遷移する。
【００９９】
上述した実施形態では、携帯端末１０と通信を行う対象装置（外部装置２０）は特に制限されていない。しかしながら、携帯端末１０から外部装置２０に送信される情報が個人情報などを含むことも考えられるため、携帯端末１０と通信を行う外部装置２０は制限されてもよい。具体的には、携帯端末１０は、携帯端末１０と通信を行うことが許可された外部装置２０の識別子を管理しており、外部装置２０と通信を開始する前に、外部装置２０の認証を行うことが好ましい。このようなケースでは、例えば、外部装置２０は、外部装置２０の識別子を含む接触判定用信号を携帯端末１０に送信することが好ましい。携帯端末１０は、接触判定用信号に含まれる外部装置２０の識別子が携帯端末１０で管理されている外部装置２０の識別子と合致する場合に、外部装置２０の認証に成功したと判定する。一方で、携帯端末１０は、接触判定用信号に含まれる外部装置２０の識別子が携帯端末１０で管理されている外部装置２０の識別子と合致しない場合に、外部装置２０の認証に失敗したと判定する。
【図面の簡単な説明】
【０１００】
【図１】第１実施形態に係る通信システムを示す図である。
【図２】第１実施形態に係る携帯端末１０を示すブロック図である。
【図３】第１実施形態に係る外部装置２０を示すブロック図である。
【図４】第１実施形態に係る表示部２４の表示内容の一例を示す図である。
【図５】第１実施形態に係る表示部２４の表示内容の一例を示す図である。
【図６】第１実施形態に係る表示部２４の表示内容の一例を示す図である。
【図７】第１実施形態に係る携帯端末１０の動作を示すフロー図である。
【図８】第１実施形態に係る携帯端末１０の動作を示すフロー図である。
【図９】第１実施形態に係る携帯端末１０の動作を示すフロー図である。
【符号の説明】
【０１０１】
１０・・・携帯端末、１１・・・無線通信部、１２・・・接触部、１３・・・人体通信部、１４・・・着信通知部、１５・・・記憶部、１６・・・判定部、１７・・・制御部、２０・・・外部装置、２１・・・接触部、２２・・・人体通信部、２３・・・制御部、２４・・・表示部、１００・・・無線通信網
【図１】
2009200638.tif 000003
【図２】
2009200638.tif 000004
【図３】
2009200638.tif 000005
【図４】
2009200638.tif 000006
【図５】
2009200638.tif 000007
【図６】
2009200638.tif 000008
【図７】
2009200638.tif 000009
【図８】
2009200638.tif 000010
【図９】
2009200638.tif 000011